(57)【要約】【課題】患者を搬送する移動体において患者のかかりつけの医療機関を表示する医療機関表示装置を提供する。【解決手段】医療機関表示装置１は、患者を搬送する移動体６に設けられ患者が過去に通院した医療機関の位置を示すＧＰＳ情報を格納する記録媒体７からＧＰＳ情報を読み取る読取装置と、移動体６に設けられＧＰＳ衛星から受信したＧＰＳ情報に基づいて移動体６の位置を地図上に表示するナビゲーション装置とを備える。ナビゲーション装置が、読取装置により読み取ったＧＰＳ情報に基づいて、患者が過去に通院した医療機関の位置を地図上に表示する。 【選択図】図１
2005148872.tif 000002
【特許請求の範囲】
【請求項１】
患者を搬送する移動体に設けられ、患者が過去に通院した医療機関の位置を示すＧＰＳ情報を格納する記録媒体から前記ＧＰＳ情報を読み取る読取装置と、
前記移動体に設けられ、ＧＰＳ衛星から受信したＧＰＳ情報に基づいて当該移動体の位置を地図上に表示するナビゲーション装置とを備え、
前記ナビゲーション装置が、前記読取装置により読み取ったＧＰＳ情報に基づいて、前記患者が過去に通院した医療機関の位置を前記地図上に表示する
ことを特徴とする医療機関表示装置。
【請求項２】
前記記録媒体が、前記患者が過去に通院した医療機関毎に、その病名及び通院日時を格納し、
前記読取装置が、前記患者が過去に通院した医療機関毎の前記病名及び通院日時を読み取り、
前記ナビゲーション装置が、前記読取装置により読み取った前記病名及び通院日時に基づいて、前記患者が過去に通院した医療機関毎に、その病名及び通院日時を前記地図上に表示する
ことを特徴とする請求項１記載の医療機関表示装置。
【請求項３】
前記ナビゲーション装置が、前記患者が過去に通院した医療機関の位置を、それ以外の医療機関とは異なる表示方法により、前記地図上に表示する
ことを特徴とする請求項１記載の医療機関表示装置。
【請求項４】
患者を搬送する移動体に設けられ、当該患者のＩＤを格納する記録媒体から前記ＩＤを読み取る読取装置と、
前記移動体に設けられ、前記読取装置により読み取ったＩＤを用いて、患者の通院履歴を保存するデータセンタとの間で通信を行って、当該患者についての通院履歴を得る端末装置とを備える
ことを特徴とする通院履歴取得装置。
【請求項５】
当該通院履歴取得装置が、更に、
前記移動体に設けられ、ＧＰＳ衛星から受信したＧＰＳ情報に基づいて当該移動体の位置を地図上に表示するナビゲーション装置を備え、
前記ナビゲーション装置が、前記通院履歴に基づいて、前記患者が過去に通院した医療機関の位置を前記地図上に表示する
ことを特徴とする請求項４記載の通院履歴取得装置。
【請求項６】
医療機関に設けられ、当該患者のＩＤとその通院履歴とを格納する記録媒体から前記ＩＤを読み取り、前記記録媒体に当該医療機関の位置を示すＧＰＳ情報を書き込む読取書込装置と、
前記読取書込装置により読み取ったＩＤを用いて、患者の通院履歴を保存するデータセンタとの間で通信を行って、当該患者についての通院履歴を得る端末装置とを備える
ことを特徴とする医療情報入出力装置。
【請求項７】
当該医療情報入出力装置が、更に、
医療機関に設けられ、ＧＰＳ衛星から前記ＧＰＳ情報を受信するＧＰＳ装置を備え、
前記読取書込装置が、前記ＧＰＳ装置により得たＧＰＳ情報を前記記録媒体に書き込むか、又は、前記ＧＰＳ装置により得たＧＰＳ情報を保存し、当該保存したＧＰＳ情報を前記記録媒体に書き込む
ことを特徴とする請求項６記載の医療情報入出力装置。
【請求項８】
前記端末装置が、前記データセンタから、当該医療機関以外の医療機関についての通院履歴を得る
ことを特徴とする請求項６記載の医療情報入出力装置。
【発明の詳細な説明】
【技術分野】
【０００１】
本発明は、医療機関表示装置、通院履歴取得装置、医療情報入出力装置に関し、特に、患者を搬送する移動体において患者のかかりつけの医療機関を表示したり患者の通院履歴を取得することができる医療機関表示装置、通院履歴取得装置、医療情報入出力装置に関する。
【背景技術】
【０００２】
患者についての種々の情報（患者情報）を統一的に管理し、患者の診察や治療に活用しようとする試みが広く行われている。例えば、グループの医療機関の患者に統一患者番号を付与して、グループ内の全ての医療機関における患者に処方された薬の情報（薬歴情報）を参照できるようにした薬歴管理装置が知られている（特許文献１参照）。この技術は患者の薬歴情報を知り、例えば同時に処方してはならない薬を処方しないようにするために有効である。
【０００３】
また、複数の医療機関を接続して、当該複数の医療機関の間で情報を交換し、共有情報を格納する医療機関用サーバを有する広域医療情報装置が知られている（特許文献２参照）。この技術は医療機関相互間での情報交換に有効である。
【特許文献１】特開平８−１８０１２０号公報
【特許文献２】特開２００２−８３０５８号公報
【発明の開示】
【発明が解決しようとする課題】
【０００４】
前述のような患者情報の活用の場は、病院、医院、保健所等の医療機関に限られている。また、前述のような患者情報は、薬歴情報のような医療機関において使用可能な純粋に医学的なデータに限られている。
【０００５】
ところで、このような観点とは別に、患者を医療機関に搬送する救急車（移動体）において最も重要な情報は、その患者のかかりつけの医療機関がどこであるのかを示す情報である。患者をそのかかりつけの医療機関に搬送することができれば、その患者のカルテ等が保管されているので、迅速な処置が可能となり、ひいては救命率の向上を図ることができる。しかし、救急車で搬送される患者は、意識がなかったり、意識障害があったり、正常な判断力を欠いていたり、痛みで通常の応答ができなかったりする場合がある。従って、このような場合に、患者のかかりつけの医療機関を示す情報が容易に得られれば、適切な処置を可能とすることができる。
【０００６】
また、いわゆるドクターカー（医師の同乗する救急車）においては、当該車両内において医師による種々の医療行為が可能である。即ち、医療機関と変わりない程度に、その患者についての純粋に医学的なデータを活用することができると期待される。例えば、搬送先とは別の医療機関における加療の事実及び内容（通院履歴）が正確に判れば、その患者の救急治療に役立つことがあり得る。従って、このようなドクターカーにおいて患者の医学的なデータが容易に得られれば、適切な処置を可能とすることができる。
【０００７】
本発明は、患者を搬送する移動体において患者のかかりつけの医療機関を表示する医療機関表示装置を提供することを目的とする。
【０００８】
また、本発明は、患者を搬送する移動体において患者の通院履歴を得ることができる通院履歴取得装置を提供することを目的とする。
【０００９】
また、本発明は、患者のかかりつけの医療機関や患者の通院履歴を所定の記録媒体に入出力する医療情報入出力装置を提供することを目的とする。
【課題を解決するための手段】
【００１０】
本発明の医療機関表示装置は、患者を搬送する移動体と、前記移動体に設けられ、患者が過去に通院した医療機関の位置を示すＧＰＳ情報を格納する記録媒体から前記ＧＰＳ情報を読み取る読取装置と、前記移動体に設けられ、ＧＰＳ衛星から受信したＧＰＳ情報に基づいて当該移動体の位置を地図上に表示するナビゲーション装置とを備え、前記ナビゲーション装置が、前記読取装置により読み取ったＧＰＳ情報に基づいて、前記患者が過去に通院した医療機関の位置を前記地図上に表示する。
【００１１】
また、本発明の通院履歴取得装置は、患者を搬送する移動体と、前記移動体に設けられ、当該患者のＩＤを格納する記録媒体から前記ＩＤを読み取る読取装置と、前記移動体に設けられ、前記読取装置により読み取ったＩＤを用いて、患者の通院履歴を保存するデータセンタとの間で通信を行って、当該患者についての通院履歴を得る端末装置とを備える。
【００１２】
また、本発明の医療情報入出力装置は、医療機関に設けられ、当該患者のＩＤとその通院履歴とを格納する記録媒体から前記ＩＤを読み取り、前記記録媒体に当該医療機関の位置を示すＧＰＳ情報を書き込む読取書込装置と、前記読取書込装置により読み取ったＩＤを用いて、患者の通院履歴を保存するデータセンタとの間で通信を行って、当該患者についての通院履歴を得る端末装置とを備える。
【発明の効果】
【００１３】
本発明の医療機関表示装置によれば、患者を医療機関に搬送する救急車において、患者が過去に通院した医療機関の位置を示すＧＰＳ情報を格納する記録媒体を用いることにより、最も重要な情報である患者のかかりつけの医療機関がどこであるのかを示す情報を、搬送される患者の容体に関係なく、救急隊員等に提供することができるので、患者をそのかかりつけの医療機関に搬送することができる。これにより、当該医療機関での迅速かつ適切な処置が可能となり、ひいては救命率の向上を図ることができる。
【００１４】
本発明の通院履歴取得装置によれば、いわゆるドクターカーにおいて、当該患者のＩＤを格納する記録媒体を用いることにより、例えば搬送先とは別の医療機関における加療の事実及び内容（通院履歴）を、正確に医師や救急隊員等に提供することができるので、その患者についての純粋に医学的なデータを活用して当該車両内において医師による種々の医療行為が可能である。これにより、このようなドクターカーでの患者の搬送中における迅速かつ適切な処置が可能となり、ひいては救命率の向上を図ることができる。
【００１５】
本発明の医療情報入出力装置によれば、記録媒体から患者のＩＤとその通院履歴とを読み取り記録媒体に当該医療機関の位置を示すＧＰＳ情報を書き込むことにより、患者の治療を行う医療機関において、他の医療機関における加療の事実及び内容（通院履歴）を、正確に当該医療機関に提供することができるので、その患者についての純粋に医学的なデータを活用して当該医療機関において正確かつ安全な医療行為が可能である。これにより、複数の医療機関における迅速かつ適切な処置が可能となり、ひいては救命率の向上を図ることができる。
【発明を実施するための最良の形態】
【００１６】
図１は、医療情報管理システム構成図であり、本発明の医療機関表示装置、通院履歴取得装置、医療情報入出力装置を備える医療情報管理システムの構成の一例を示す。医療情報管理システムは、医療機関表示装置１、通院履歴取得装置２、医療情報入出力装置３、データセンタ４、これらの間を接続するネットワーク５からなる。ネットワーク５は、例えばインターネットからなる。
【００１７】
医療機関表示装置１は、例えば救急車６１等の患者を搬送する移動体６に設けられる。通院履歴取得装置２は、例えばドクターカー６２等の患者の治療が可能な移動体６に設けられる。医療情報入出力装置３は、例えばパーソナルコンピュータからなり、医療機関の例えば受付（例えば、総合受付、各診療科の受付）に設けられる（以下、受付端末）。受付端末３は、異なる複数の医療機関に設けられたものであっても良い。医療機関における種々の医療情報の（固定的な）入出力端末として使用される。データセンタ４は、例えばコンピュータからなり、この医療情報管理システムにおいて例えば１個設けられ、当該システムで共有されるデータ（医療情報）をその記憶部（データベース、ＤＢ）４１に格納する。
【００１８】
通院履歴取得装置２は、移動体６に設けられるので、街頭に設置されネットワーク５に接続されたアンテナ５１との無線通信を介して、データセンタ４と通信を行う。従って、通院履歴取得装置２は周知の移動体におけるインターネットに接続して通信するインターネット通信機能を備える。なお、医療機関表示装置１が、通院履歴取得装置２と同様にしてデータセンタ４と通信を行うようにしても良い。医療機関表示装置１及び通院履歴取得装置２は、移動体６における種々の医療情報の（移動可能な）出力端末として使用され、いずれか一方のみを設けても、双方を設けても良い。
【００１９】
図２は、医療情報管理システム構成図であり、特に、図２（Ａ）は本発明の受付端末（医療情報入出力装置）３の構成の一例を示し、図２（Ｂ）は医療機関表示装置１の構成の一例を示し、図２（Ｃ）は通院履歴取得装置２の構成の一例を示す。
【００２０】
図 2（Ａ）において、受付端末３は、読取書込装置３１、端末装置３２、ＧＰＳ（Global Positioning System ）装置３３を備える。端末装置３２は、コンピュータであり、端末通信部３４、端末制御部３５、端末記憶部３６、端末表示部３７、キーボード及びプリンタからなる端末入出力部３８、タイマ３９からなる。読取書込装置３１は、医療機関の受付に（固定的に）設けられ、当該患者のＩＤとその通院履歴とを格納する記録媒体７からＩＤを読み取り、記録媒体７に当該医療機関の位置を示すＧＰＳ情報を書き込む。例えば、記録媒体７はＩＣカードからなり、読取書込装置３１はＩＣカードリーダライタからなる。端末装置３２は、読取書込装置３１により読み取ったＩＤを用いて、患者の通院履歴を保存するデータセンタ４との間で通信を行って、当該患者についての通院履歴を得る。ＧＰＳ装置３３は、医療機関（の当該受付端末３）に設けられ、周知の構成を備え、ＧＰＳ衛星からＧＰＳ情報を受信する。
【００２１】
また、読取書込装置３１は、ＧＰＳ装置３３により得たＧＰＳ情報を記録媒体７に書き込むか、又は、ＧＰＳ装置３３により得たＧＰＳ情報を前述のように端末記憶部３６に保存し、当該保存したＧＰＳ情報を記録媒体７に書き込む。これにより、当該医療機関の位置情報としてＧＰＳ情報からなる位置情報を、来院の都度、患者の所持する共通診察券７である記録媒体７に容易に書き込むことができる。端末装置３２は、データセンタ４から、当該医療機関以外の医療機関についての通院履歴を得る。なお、ＧＰＳ情報を端末記憶部３６に保存した後は、端末装置３２の設置場所が移設されない限り、ＧＰＳ装置３３を取り外してもかまわない。
【００２２】
この医療情報管理システムにおいては、所定の記録媒体７を、この医療情報管理システムを利用する複数の医療機関に共通の診察券７（共通診察券７とも言う）として用いる。記録媒体７は、例えば周知のＩＣカードからなる。共通診察券７は、当該患者のＩＤ、患者の個人情報、複数の通院履歴を書き込まれる。通院履歴には、各々、当該医療機関の位置を示すＧＰＳ情報が含まれる。この医療情報管理システムは、患者の通院履歴等をデータセンタ４において共有する。
【００２３】
共通診察券７は、図１に示すように、患者により所持される。患者が自分で医療機関に来院した場合、当該医療機関の受付端末３が共通診察券７との間で入出力を行う。患者が救急車６１又はドクターカー６２の移動体６で医療機関に搬送された場合、その搬送中の過程において、救急車６１に搭載された医療機関表示装置１によりＧＰＳ情報が参照され、ドクターカー６２に搭載された通院履歴取得装置２により当該患者のＩＤが参照される。なお、搬送先の医療機関においては、前述と同様に、受付端末３により所定のデータの入出力が行われる。
【００２４】
共通診察券７の一例を図３（Ａ）に、他の一例を図３（Ｂ）に示す。１枚の共通診察券７は、患者のＩＤ即ちカードＩＤ毎に、患者の個人情報、複数の通院履歴を格納する。患者のＩＤ即ちカードＩＤは、この医療情報管理システムにおいてユニークなものとされ、例えばその患者が最初に来院した際に患者即ち共通診察券７に割り当てられる。従って、図３（Ａ）及び図３（Ｂ）の共通診察券７で、ＩＤが異なる。患者の個人情報は、例えば氏名、性別、生年月日、（保険組合の）名称及び保険者番号、血液型、住所からなる。通院履歴は、各々、履歴病院名、当該病院の所在位置を示す位置情報、病名、年月日（当該医療機関に通院した最初の年月日）からなる。通院履歴は、例えば最新のｎ個（例えばｎ＝２０）が格納され、古い順に最新の通院履歴により上書きされる。この例において、通院履歴の中の位置情報は、住所ではなく、ＧＰＳ情報からなる。この位置情報は、受付端末３のＧＰＳ装置から与えられるか、又は、ＧＰＳ装置３３からの位置情報を格納する受付端末３の端末記憶部３６から与えられる。
【００２５】
この医療情報管理システムにおいては、共通診察券７の内容を含む医療情報を、データセンタ４において共通に管理する。データセンタ４に格納されるデータ（データベース４１）の一例を図４に示す。データセンタ４は、図４に示すように、患者のＩＤ即ちカードＩＤ毎に、患者の個人情報、複数の通院履歴をデータベース４１に格納する。即ち、１個のレコードは、患者毎に設けられ、ＩＤ、個人情報、複数の通院履歴からなり、１枚の共通診察券７に対応する。 1個のレコードは、例えばその患者が最初に来院した際に作成される。患者の個人情報は、共通診察券７におけるそれと同一である。通院履歴は、記憶容量が大きくても良いので、共通診察券７におけるそれよりも詳細なデータからなる。即ち、通院履歴は、各々、履歴病院名、当該病院の所在位置を示す位置情報、病名、年月日（当該医療機関に通院した最初の年月日）、診察科、カルテ番号、受診内容（カルテの内容）からなる。通院履歴は、原則として、全ての通院履歴が記録される。
【００２６】
例えば、患者「鈴木〇〇」が初めて「ＡＡＡ川崎病院」に来院したとすると、共通診察券７を持っていないので、図３（Ａ）に示すように、予めカードＩＤ「3GRY5DJ94YLZ」（これが患者のＩＤとなる）の割り当てられた１枚の共通診察券７が用意され、読取書込装置３１にセットされる。この後、保険証等を参照して、患者の氏名、性別、生年月日、名称及び保険者番号、血液型（省略しても良い）、住所からなる個人情報が、端末制御部３５の制御の下で、端末入出力部３８から共通診察券７に入力される（書き込まれる）。また、この時、例えば通院履歴の履歴病院名も、共通診察券７に入力される。なお、入力の内容が、端末制御部３５の制御の下で、端末表示部３７にも表示される（以下においても同じ）。
【００２７】
また、例えば、診療が終了した後、患者が治療費の精算のために共通診察券７を受付端末３に提出すると、共通診察券７が読取書込装置３１にセットされ、カルテ等を参照して、当該病院の所在位置を示す位置情報、病名、年月日が共通診察券７に入力される。これにより、１個の通院履歴（通院履歴＃１）が作成される。この時、病名は、前述と同様にして、端末入出力部３８から入力される。当該病院の所在位置を示す位置情報としては、端末制御部３５により、ＧＰＳ情報が入力される。図５（Ａ）に示すように、例えば「ＡＡＡ川崎病院」の位置を示すＧＰＳ情報が、当該病院の受付端末３に設けられたＧＰＳ装置３３により得られる。このＧＰＳ情報は、例えば当該病院の受付端末３の端末記憶部３６に格納される。ＧＰＳ情報は、周知のように、経度情報、緯度情報、高度情報からなる。端末制御部３５は、ＧＰＳ装置３３又は端末記憶部３６からＧＰＳ情報を得て、これを入力する。年月日としては、端末制御部３５により、タイマ３９の示す日時が入力される。
【００２８】
この時、実際には、図４に示すようなカルテを含む詳細な内容が端末入出力部３８から入力される。この内容がデータセンタ４に送信され登録され、一部の所定の内容のみが共通診察券７に書き込まれる。データセンタ４において、未だ当該ＩＤのレコードが存在しないので、当該ＩＤのための１個のレコードが設けられ、これに前記各データが格納される。即ち、図４の通院履歴＃１までが格納される。前述のように、データセンタ４のデータベース４１は容量が大きいので、通院履歴＃１の内容自体がカルテを含む詳細なものとされる。
【００２９】
この後、当該患者が「ＢＢ大学病院」に来院したとすると、共通診察券７を所持しているので、診察の前に、共通診察券７が読取書込装置３１にセットされ、個人情報が読み出され、保険証等と照合される。また、診察の後に、前述のように、１個の通院履歴（通院履歴＃２）が共通診察券７に入力される。
【００３０】
図２（Ｂ）において、医療機関表示装置１は、患者を搬送する移動体６（救急車６１）に設けられ、読取装置１１とナビゲーション装置（カーナビゲーション装置又はカーナビ装置）１２とを備える。読取装置１１は、移動体６に設けられ、患者が過去に通院した医療機関の位置を示すＧＰＳ情報を格納する記録媒体７からＧＰＳ情報を読み取る。例えば、記録媒体７はＩＣカードからなり、読取装置１１はＩＣカードリーダからなる。ナビゲーション装置１２は、移動体６に設けられ、コンピュータからなり、周知のように、ＧＰＳ装置１３、ナビ制御部１４、ナビ記憶部１５、ナビ表示部１６を備える。これにより、ナビゲーション装置１２は、周知のＧＰＳ装置１３によりＧＰＳ衛星から受信したＧＰＳ情報に基づいて、周知のようにナビ記憶部１５から読み出した（ＧＰＳ情報に関連付けられた）地図情報に基づいてナビ表示部１６に表示された地図上に当該移動体６の位置を表示する。更に、ナビゲーション装置１２は、読取装置１１により読み取ったＧＰＳ情報に基づいて、患者が過去に通院した医療機関の位置を地図上に表示する。
【００３１】
この例では、前述のように、記録媒体７が、患者が過去に通院した医療機関毎に、その病名及び通院日時を格納する。そこで、読取装置１１が、患者が過去に通院した医療機関毎の病名及び通院日時を、記録媒体７から読み取り、ナビゲーション装置１２に送る。これを受信したナビゲーション装置１２は、読取装置１１により読み取った病名及び通院日時に基づいて、患者が過去に通院した医療機関毎に、その病名及び通院日時を地図上に表示する。
【００３２】
このために、ナビゲーション装置１２は、以下の処理を行う。例えば、当該移動体６の現在位置を示すナビゲーション装置１２のＧＰＳ情報が図５（Ｂ）に示すように得られる。また、共通診察券７から、患者が過去に通院した医療機関の位置を示すＧＰＳ情報を読取装置１１により読み取る。例えば、共通診察券７には図５（Ａ）に示すＧＰＳ情報が格納されている。従って、双方のＧＰＳ情報を重ねると、図５（Ｃ）に示すＧＰＳ情報が得られる。そこで、ナビゲーション装置１２は、図６に示すように、そのナビ表示部１６の画面上に、地図情報を表示すると共に、当該地図上に、これらを表示する。なお、名称、東経等は、説明の便宜上併せて表示したものである。
【００３３】
例えば、患者「鈴木〇〇」が救急車６１で搬送されているとすると、その共通診察券７が読取装置１１にセットされる。ナビ制御部１４は、読取装置１１により共通診察券７から図５（Ａ）に示すＧＰＳ情報とその各々に対応する病名及び年月日（例えば、「ＡＡＡ川崎病院」に対応する「胃炎」「2002.12.15」）とを読み出し、ＧＰＳ装置１３から現在の救急車６１の位置を示す図５（Ｂ）のＧＰＳ情報を得て、これらに基づいて図５（Ｃ）に示す結果を得る。これに基づいて、ナビ制御部１４は、ナビ記憶部１５から地図情報を読み出して、その上に前記ＧＰＳ情報に対応する位置をプロットして、図６のような地図をナビ表示部１６の画面上に表示する。
【００３４】
この時、ナビゲーション装置１２は、患者が過去に通院した医療機関の位置を、それ以外の医療機関とは異なる表示方法により、地図上に表示する。例えば、患者「鈴木〇〇」が過去に通院した医療機関「ＡＡＡ川崎病院」「ＢＢ大学病院」の位置は例えば「二重丸（◎）」で表示し、それ以外の医療機関「ＣＣ眼科」は例えば「黒丸（●）」で表示する。また、後者を通常色で表示し前者を通常色とは異なる色で表示しても良く、前者を点滅させ後者を通常に表示してもよい。即ち、前者を特殊な表示で区別する。現在位置は、例えば「星印」で表示する。これにより、救急車６１に搭乗している救急隊員は、その現在位置及び患者のかかりつけの医療機関の位置と受診時期を知り、過去の病歴と現在の患者の症状とに基づいて、搬送先の医療機関を決定する。例えば、患者「鈴木〇〇」が腹痛を訴えているとすれば、先に「胃炎」で通院した「ＡＡＡ川崎病院」を搬送先とする。
【００３５】
図２（Ｃ）において、通院履歴取得装置２は、患者を搬送する移動体６（ドクターカー６２）に設けられ、読取装置２１と端末装置２２とを備える。読取装置２１は、当該患者のＩＤを格納する記録媒体７から前記ＩＤを読み取る。例えば、記録媒体７はＩＣカードからなり、読取装置２１はＩＣカードリーダからなる。端末装置２２は、読取装置２１により読み取ったＩＤを用いて、患者の通院履歴を保存するデータセンタ４との間で通信を行って、当該患者についての通院履歴を得る。
【００３６】
端末装置２２は、図２（Ｂ）と図２（Ｃ）との比較から判るように、ナビゲーション装置１２にインターネット通信機能を備えるナビ通信部２７を付加した構成を有する。従って、端末装置２２は、ナビゲーション装置１２と同様に、ＧＰＳ衛星から受信したＧＰＳ情報に基づいて当該移動体６の位置を地図上に表示し、データセンタ４から受信した通院履歴（に含まれるＧＰＳ情報）に基づいて、患者が過去に通院した医療機関の位置を地図上に表示する。
【００３７】
例えば、患者「鈴木〇〇」がドクターカー６２で搬送されているとすると、その共通診察券７が読取装置２１にセットされる。ナビ制御部２４は、読取装置２１により共通診察券７から通院履歴＃１（例えば、「ＡＡＡ川崎病院」に「胃炎」で「2002.12.15」に通院）等を読み出し、ナビ表示部２６の画面上に表示する。
【００３８】
このように、図２（Ｂ）の医療機関表示装置１と図２（Ｃ）の通院履歴取得装置２とは、実際は、類似の構成を有する。即ち、この例では、通院履歴取得装置２は医療機関表示装置１としても機能する。そこで、移動体６としての救急車６１とドクターカー６２とを区別することなく、移動体６に通院履歴取得装置２を搭載し、救急隊員が乗車している場合には医療機関表示装置１として使用し、医師が乗車している場合には医療機関表示装置１及び通院履歴取得装置２として使用する。なお、医師が乗車していない場合に通院履歴取得装置２として使用しても、有効と考えられる。
【００３９】
図７は、受付端末処理フローであり、本発明の医療情報管理システムにおける受付端末での処理の一例を示す図である。なお、図７、図８及び図９は、一体となって、この医療情報管理システムの全体の処理フローを示す。
【００４０】
患者が医療機関の受付に自分で共通診察券７を提出した場合、受付端末３が、通院履歴に病院名を入力した後（ステップＳ１１）、共通診察券７の内容（ＩＤを含む）を読み取り（ステップＳ１２）、読み取ったＩＤをデータセンタ４に通知し（ステップＳ１３）、データセンタ４から送信されたデータを受信することにより入手する（ステップＳ１４）。受信したデータは、当該患者についての図４に示す全ての情報である。ここで、例えば受付端末３は、病院名又はＧＰＳ情報を用いて、自病院の通院履歴と多病院の通院履歴とを区別して、他の医療機関における加療の情報を端末入出力部３８から印刷出力し、また、自病院における当該番号のカルテを用意し、これらをまとめる。なお、ステップＳ１３において送出されたＩＤは、符号（ａ）により示すように、図８のステップＳ２２における処理に用いられる（（ｂ）〜（ｅ）についても同様）。
【００４１】
この後、患者の診察のために、他の医療機関における加療の情報、（当該医療機関における）カルテ、共通診察券７等が医師の手元に回付され、これらに基づいて、医師による診察（又は治療）が行われる（ステップＳ１５）。
【００４２】
この後、受付端末３が、診察データ（診察又は治療の結果であるデータ）を入力し（ステップＳ１６）、ＧＰＳ情報をＧＰＳ装置（又は記憶部）から読み取り（ステップＳ１７）、これらに基づいて、所定の項目のデータを格納することにより共通診察券７の履歴を更新し（ステップＳ１８）、当該入力されたデータをデータセンタ４に送信する（ステップＳ１９）。これにより、データセンタ４の履歴も更新する。
【００４３】
なお、患者が初診の場合には、共通診察券７が存在しない場合が有りうる。この場合には、前述のように、新たな共通診察券７を用意し、ステップＳ１１を実行した後、データセンタ４に対応するデータが無いのでステップＳ１２〜Ｓ１４を省略して、ステップＳ１５以下を実行する。
【００４４】
図８は、データセンタ処理フローであり、本発明の医療情報管理システムにおけるデータセンタ４での処理の一例を示す図である。
【００４５】
データセンタ４は、夜間の救急患者にも対応するように、イベント要求待ちの状態にあり（ステップＳ２１）、イベント要求があると、当該要求が受付端末３の受付時のイベントであるか、受付端末３の診察終了時のイベントであるか、移動体６（通院履歴取得装置２）からのイベントであるかを判断する。イベント要求が受付端末３の受付時のイベントである場合、データセンタ４は、受信したＩＤを用いてデータベース４１を参照し（ステップＳ２２）、必要に応じてデータベース４１から抽出したデータを当該受付端末３に送信する（ステップＳ２３）。この時、データセンタ４は、全ての医療機関における加療情報についてその内容を抽出する。イベント要求が受付端末３の診察終了時のイベントである場合、データセンタ４は、受信した診察データ（図４の通院履歴の内容）をデータベース４１に格納（記録）することにより、データセンタの当該履歴を更新する（ステップＳ２４）。イベント要求が移動体６（通院履歴取得装置２）からのイベントである場合、データセンタ４は、受信したＩＤを用いてデータベース４１を参照し（ステップＳ２５）、必要に応じて抽出したデータを当該受付端末３に送信する（ステップＳ２６）。この時、データセンタ４は、全ての医療機関における加療情報についてその内容を抽出する。
【００４６】
図９は、医療機関表示処理フローであり、本発明の医療機関表示装置１における医療機関表示処理の一例を示す図である。この例は、移動体６が救急車６１である場合を示す。この場合、最も重要な情報である患者のかかりつけの医療機関を表示する。
【００４７】
ナビ制御部１４が、患者の共通診察券７の内容（ＧＰＳ情報と対応する病名及び年月日とを含む）を読取装置１１で読み取り（ステップＳ３１）、ＧＰＳ装置１３から現在の位置を示すＧＰＳ情報を読み取り（ステップＳ３２）、ナビ記憶部１５から地図情報を読み取る（ステップＳ３３）。ナビ制御部１４が、ステップＳ３１で読み取ったＧＰＳ情報（及び対応する病名及び年月日）とステップＳ３２で読み取ったＧＰＳ情報とを重ね合わせ（ステップＳ３４）、ステップＳ３３で読み取った地図情報にステップＳ３４で得た情報を重ねて、ナビ表示部１６に図６に示すように表示する（ステップＳ３５）。
【００４８】
図１０は、通院履歴取得処理フローであり、本発明の通院履歴取得装置２における通院履歴取得処理の一例を示す図である。この例は、移動体６がいわゆるドクターカー６２（医師の乗車する救急車）である場合を示す。この場合、当該車両内において種々の医療行為が可能であるので、より多くの患者情報を活用するために、データセンタ４から通院履歴をダウンロードする。
【００４９】
通院履歴取得装置２は、患者の共通診察券７の内容（ＩＤを含む）を読み取り（ステップＳ４１）、ＧＰＳ装置２３から現在の位置を示すＧＰＳ情報を読み取り（ステップＳ４２）、ナビ記憶部２５から地図情報を読み取る（ステップＳ４３）。この後、通院履歴取得装置２は、データセンタ４に読み取ったＩＤを通知し、データセンタ４から送信されたデータを受信（リード）する（ステップＳ４４）。受信したデータは、通院履歴、即ち、患者が通院したことのある医療機関における加療の情報である。当該データは、受信後、自動的に又は必要（指示入力）に応じて、例えば保存され、印刷出力される。これにより、ドクターカー６２における正確かつ迅速な治療が可能となる。ステップＳ４２で読み取ったＧＰＳ情報とステップＳ４４でデータセンタ４から得た情報とを重ね合わせ（ステップＳ４５）、ステップＳ４３で読み取った地図情報にステップＳ４５で得た情報を重ねて、図６に示すように表示する（ステップＳ４６）。
【００５０】
図１１及び図１２は、医療情報管理システム運用フローであり、本発明の医療情報管理システムにおける実際の運用の一例を示す図である。特に、図１１は患者が自分で医療機関に来た場合の運用を示し、図１２は患者が救急車６１等で医療機関に搬送されて来た場合の運用を示す。
【００５１】
図１１において、医療機関に来院した患者が、受付で共通診察券７を所持しているか（初めての来院か）否かを問われる（ステップＳ５１）。共通診察券７を所持していなければ、受付が共通診察券７を新たに発行し（ステップＳ５２）、共通診察券７を所持していれば、患者はこれを受付に提示する（ステップＳ５３）。
【００５２】
この後、受付又は各診療科の受付において、受付端末３が、患者の共通診察券７の内容（ＩＤを含む）を読み取り（ステップＳ５４）、データセンタ４に読み取ったＩＤを通知（送出）する（ステップＳ５５）。データセンタ４は、当該ＩＤのレコードがデータベース４１内に存在するか否かを調べ（ステップＳ５６）、存在する場合、データセンタ４は当該ＩＤのレコードの内容を読み出して当該受付端末３に送信し、これにより、受付端末３はデータセンタ４の情報を入手する（ステップＳ５７）。この内容は、他の医療機関における加療の情報、当該医療機関におけるカルテの番号を含む。存在しない場合、ステップＳ５７は省略される。以上により、受付端末３は、他の医療機関における加療の情報を印刷出力し、当該医療機関におけるカルテを用意する（ステップＳ５８）。この後、他の医療機関における加療の情報、（当該医療機関における）カルテ、共通診察券７等が医師の手元に回付され、これらに基づいて、医師による診察（又は治療）が行われる（ステップＳ５９）。この後、受付端末３が、診察データ（診察又は治療の結果であるデータ）を入力し（ステップＳ５１０）、ＧＰＳ情報をＧＰＳ装置（又は記憶部）から読み取り（ステップＳ５１１）、これらに基づいて、共通診察券７の履歴を更新し（ステップＳ５１２）、受付端末３からの通知に基づいてデータセンタ４がその履歴を更新する（ステップＳ５１３）。
【００５３】
図１２において、移動体６において、読取装置１１又は２１により患者の共通診察券７の内容（ＩＤ、ＧＰＳ情報、対応する病名及び年月日等）を読み取り（ステップＳ６１）、ＧＰＳ装置１３又は２３から現在の位置を示すＧＰＳ情報を読み取り（ステップＳ６２）、ナビ記憶部１５又は２５から地図情報を読み取る（ステップＳ６３）。この後、必要に応じて、データセンタ４との通信により通院履歴を取得し、ナビ制御部１４又は２４が、ステップＳ６１で読み取ったＧＰＳ情報（及び対応する病名及び年月日）とステップＳ６２で読み取ったＧＰＳ情報とを重ね合わせ（ステップＳ６４）、ステップＳ６３で読み取った地図情報にステップＳ６４で得た情報を重ねて図６に示すように表示する（ステップＳ６５）。救急隊員が、表示された医療機関の中から現在の患者の症状に合うかかりつけの医療機関を選択して（ステップＳ６６）、その医療機関に患者を搬送する。
【００５４】
以上、本発明をその実施の形態に従って説明したが、本発明は、その主旨の範囲内において種々の変形が可能である。例えば、移動体６は、救急車６１等のように陸上を移動する移動体６の他にも、船舶等の海上の移動体６、ヘリコプター等の空中の移動体６であっても良い。また、例えば、共通診察券として用いる記録媒体７は、ＩＣカードに限らず、適当な記憶容量が確保できるものでああれば、他の記録媒体であっても良い。
【産業上の利用可能性】
【００５５】
本発明によれば、医療機関表示装置において、救急車で患者のかかりつけの医療機関がどこであるかを示す情報を救急隊員等に提供することができるので、患者をそのかかりつけの医療機関に搬送することができ、この結果、当該医療機関での迅速かつ適切な処置が可能となり、ひいては救命率の向上を図ることができる。
【００５６】
本発明によれば、通院履歴取得装置において、ドクターカーで搬送先とは別の医療機関における通院履歴を正確に医師等に提供することができるので、そのデータを活用して当該車両内において医師による種々の医療行為を可能とすることができ、この結果、ドクターカーでの患者の搬送中における迅速かつ適切な処置が可能となり、ひいては救命率の向上を図ることができる。
【００５７】
本発明によれば、医療情報入出力装置において、患者の治療を行う医療機関で他の医療機関における加療の事実及び内容（通院履歴）を正確に当該医療機関に提供することができるので、そのデータを活用して当該医療機関において正確かつ安全な医療行為を可能とすることができ、この結果、複数の医療機関における迅速かつ適切な処置が可能となり、ひいては救命率の向上を図ることができる。
【図面の簡単な説明】
【００５８】
【図１】医療情報管理システム構成図である。
【図２】医療情報管理システム構成図である。
【図３】共通診察券（記録媒体）説明図である。
【図４】医療機関表示説明図である。
【図５】医療機関表示説明図である。
【図６】医療機関表示説明図である。
【図７】受付端末処理フローである。
【図８】データセンタ処理フローである。
【図９】医療機関表示処理フローである。
【図１０】通院履歴取得処理フローである。
【図１１】医療情報管理システム運用フローである。
【図１２】医療情報管理システム運用フローである。
【符号の説明】
【００５９】
１    医療機関表示装置
２    通院履歴取得装置
３    医療情報入出力装置
４    データセンタ
５    ネットワーク
６    移動体
７    記録媒体
４１    データベース
６１    救急車
６２    ドクターカー
【図１】
2005148872.tif 000003
【図２】
2005148872.tif 000004
【図３】
2005148872.tif 000005
【図４】
2005148872.tif 000006
【図５】
2005148872.tif 000007
【図６】
2005148872.tif 000008
【図７】
2005148872.tif 000009
【図８】
2005148872.tif 000010
【図９】
2005148872.tif 000011
【図１０】
2005148872.tif 000012
【図１１】
2005148872.tif 000013
【図１２】
2005148872.tif 000014